(57)【要約】【課題】  従来のティッシュボックスの包装はビニールなどで包装しており、ゴミがたくさん出るばかりか、光を反射し、商品がはっきりと見えず、デザインが台無しとなっていた。使用場面においては、１個単位での使用方法しか推奨されていなかった。【解決手段】  商品を隠さず、運搬手段になり、商品と同化する方法にて包装し、同時に、複数個同時使用を促進させる、複数個を接合した包装と、運搬手段と商品同志を簡単に切り離せる手段と、複数個で構成される広いデザイン面積と、使用個数を減らした際にも適する連続したデザインと、ストック場所と在庫切れ防止による利便性の提供と、商品方向により次の商品を即使用できる包装方向の組み合わせと、推奨使用個数単位のデザインにより、複数個同時使用を促進させ、提供包装単位を拡大させる。【選択図】図１
2015036309.tif 000002
【特許請求の範囲】
【請求項１】
複数個の商品を包装する場合において、繊維の目の方向により強化され、商品と同化する色・デザインの接合材を使用し、商品をはっきりと見せ、かつ包装が運搬手段になる包装方法
【請求項２】
請求項１記載の方法により、複数個を接合した包装と、運搬手段と商品同志を簡単に切り離せる手段と、複数個で構成される広いデザイン面積と、使用個数を減らした場合にも適する連続したデザインと、ストック場所と在庫切れ防止による利便性の提供と、商品方向により次の商品を即使用できる包装方向の組み合わせと、推奨同時使用単位のデザインにより、複数個同時使用を促進させる方法
【請求項３】
請求項２記載の方法により複数個同時使用を促進し、使用単位の倍数に提供包装単位を拡大する方法
【発明の詳細な説明】
【技術分野】
【０００１】  本発明は、ビニール等の非エコロジー製品で包装せず、複数個のティッシュボックス等の包装を可能とし、概観を綺麗に見せ、複数個の同時使用を推奨し、包装個数を拡大させる、技術を提供するものである。
【背景技術】
【０００２】  ティッシュボックスは概ね５個売りを前提に、ビニールで包装し販売されている。エコロジーと称し、ティッシュボックス自体にはビニールを使わず、紙のみで作られたものはあるが、その包装材には、エコロジーではないビニールが使用されている。そのビニール包装は、家庭に持ち帰れば包装を解き、廃棄するしかなく、結局、エコロジーではない。
包装材に使用されているビニール包装は、透明であっても結果的には光を反射し、商品の絵柄を隠し、せっかくのデザインも台無しとなる。
ティッシュボックスはひとつずつ使用するのが慣例であり、小さなティッシュボックスには限られた印刷スペースしかなく、消費者が満足するようなデザインの優位性を出しにくい。
ティッシュは使用すれば、当然減り、最後は無くなる。しかしながら、使用者は最後の一枚を使用しきってから、在庫のティッシュボックスを探すのが常である。多くの場合、在庫はなかなか見つからない。同時に、見えないところにストックスペースが必要となる。
通常の５個包装は全商品が上向きに並べられ、包装されている。これは、ティッシュボックスのひとつ使用が慣例化しているからである。
ティッシュボックスの箱の圧さは、年々薄くなってきた。しかしながら、販売の単位は依然５個単位のままである。
【発明の概要】
【発明が解決しようとする課題】
【０００３】  １．従来、ティッシュボックス等の包装はビニール等で包装しており、エコロジーではなく多くのゴミが発生している。
２．包装に使用するビニールは光を反射し、商品がはっきりと見えず、デザインが台無しである。
３．従来は１個単位での使用推奨であり、複数個同時使用するには使用者が工夫しなければならない。
４．デザインを描ける面積は１個ずつの非常に限られた狭い面積である。
５．１個単位の使用を前提とした、複数個同時使用するには不適切なデザインである。
６．通常の使用場所以外に、常にストック場所を必要とする。
７．使用している商品がなくなれば当然在庫を探すしかなく、使用したいときに品切れを起こす。
８．商品は常に同じ方向に取り出し口が向いた包装であり、単品使用が推測される包装である。
９．包装は慣例として５個包装で、それ以上の個数包装がない。
【課題を解決するための手段】
【０００４】  １．包装において商品と商品を接合材にて接合し、接合材は運搬手段となる。
２．接合材には商品と同じデザイン、あるいはデザインを隠さないものを使用し、商品と同化させる。
３．接合材には横方向からの切断に強い縦方向に繊維の揃った素材を使用し、運搬手段と商品、商品と商品の接合部にミシン目を入れることにより、簡便に切断し易くする。
４．接合材のみで包装することで商品を隠さず、ゴミを減少させる。
５．複数個同時使用を前提とすることで、デザインを描ける広い面積を提供する。
６．使用個数を減らした際にも適する、連続したデザインを施す。
７．複数個同時使用方法を提供することで、ストック場所と在庫切れ防止を提供する。
８．包装の際、商品の方向（取り出し口の方向）を、複数個同時使用を前提とした組み合わせにて包装する。
９．特定の複数個の組み合わせを前提としたデザインを提供する。
１０．２個以上の複数個の使用を推奨することで、推奨使用単位の倍数である、６個パック以上への包装拡大の機会を提供する。
【発明の効果】
【０００５】  １．包装において商品と商品を接合する少量の接合材のみを使用し、従来のビニールなどの非エコロジー包材のゴミを大幅に減らすことができる。
２．商品に同化した接合材により、販売時、使用時の美的優位性を得られる。
３．接合材には横方向からの切断に強い縦方向に繊維の揃った素材を使用することにより、包装の切断、崩れを防止することができる。接合部にミシン目を入れることにより、容易に切り分けられる。
４．接合材のみで包装するので、商品を隠さず、商品の色、デザインをハッキリと見せることができ、販売時の美的優位性を得られる。
５．複数個同時使用を前提とすることで、デザインを描ける広い面積を提供し、販売時、使用時における美的優位性を提供することができる。
６．使用個数を減らした際にも完結する、連続したデザインを施すことにより、従来のバラ使用にも対応できる。
７．複数個同時使用方法を提供することで、ストック場所、在庫切れ防止を提供することができる。
８．包装の際、商品の方向（取り出し口の方向）を、複数個同時使用を前提とした組み合わせで包装することにより、２個、３個、４個、それ以上の複数個同時使用を促進することができる。
９．特定の推奨組み合わせ単位のデザインを提供することにより、２個、３個、４個、それ以上の複数個同時使用を促進することができる。
１０．２個以上の複数個同時使用を推奨することで、従来の５個パックから、使用単位の倍数の包装、６個パック以上への包装拡大の機会を提供することができる。
【図面の簡単な説明】
【０００６】
【図１】包装例
【図２】商品の色、デザインをハッキルと見せる
【図３】デザインを描ける広い面積を提供する
【図４】使用個数を減らした際にも適する連続したデザイン
【図５】ストック場所と在庫切れ防止の提供
【図６】商品の方向を組み合わせる、２個使用の場合
【図７】商品の方向を組み合わせる、３個使用の場合
【図８】特定の推奨組み合わせ単位のデザイン
【図９】６個パック以上への包装拡大
【発明を実施するための形態】
【０００７】  １．接合材（１）により商品と商品を接合し、接合材は運搬手段（２）となる。
２．接合材（１）は、商品と同じデザイン、あるいはデザインを隠さないものを使用し、商品と同化させる。
３．接合材（１）には横方向からの切断に強い縦方向に繊維の揃った素材（３）を使用し、強度があれば短く必要部位のみ接合。運搬手段と商品、商品と商品の接合部にミシン目（４）を入れることにより、簡便に切断し易くする。
４．接合材のみで包装し、商品を隠さない。（図２）
５．複数個同時使用を前提とすることで、デザインを描ける広い面積を提供する。（図３）
６．使用個数を減らした際にも適する連続したデザインを施す。（図４）
７．複数個同時使用方法を提供することで、ストック場所と在庫切れ防止を提供する。（図５）
８．包装の際、商品の方向を、複数個同時使用を前提とした組み合わせにして、包装することにより、次の商品を即時に使用することができる。２個使用の場合、商品（Ａ）の使用後、接合された２つ商品を逆さにすると、商品（Ｂ）の取り出し口が上になり、即時に使用することができる。（図６）
９．３個使用を推奨した商品の方向の組み合わせは（図７）となる。商品（Ａ）を使用後、接合された３つの商品を逆さにすると商品（Ｃ）の取り出し口が上になり、即時に使用することができる。商品（Ｃ）を使用後は、商品（Ｃ）を切り離すと商品（Ｂ）の取り出し口が現れ使用できる。
１０．特定の推奨組み合わせ単位のデザインを提供することにより、特定複数個の使用を促進する。（図８）
１１．２個以上の複数個の使用を推奨することで、使用単位の倍数の包装、６個パック以上への包装拡大の機会を提供する。（図９）
【符号の説明】
【０００８】１  商品と同化した接合材
２  接合材は運搬手段となる
３  縦方向の繊維のものを使用し、強度があれば短く必要部位のみ接合
４  運搬手段と商品、商品と商品の分け目に、ミシン目を入れる
５  従来：包装ビニールでデザインが良く見えない
６  効果：包装がなく、デザインがハッキリ見える
７  従来：単品使用が前提で、描ける面積が狭い
８  効果：複数個同時使用を前提とし、描ける面積が広い
９  従来：１個使用を前提。バラバラなデザイン
１０  使用個数を減らした際にも適する、連続したデザイン
１１  ２個使用の場合
１２  ３個使用の場合
１３  ストック場所と在庫切れ防止
１４  Ａの取り出し口
１５  Ｂの取り出し口
１６  逆さにするとＢの取り出し口が上になる
１７  Ａの取り出し口
１８  Ｂの取り出し口
１９  Ｃの取り出し口
２０  逆さにするとＣの取り出し口が上になる
２１  Ｃを切り離し、Ｂの取り出し口
２２  従来のバラバラのデザイン
２３  ２個単位使用を推奨するデザイン
２４  ３個単位使用を推奨するデザイン
２５  ４個と２個単位使用を推奨するデザイン
２６  従来  ５個包装
２７  ６個パック以上への包装拡大の機会を提供
２８  ２個単位使用の組み合わせ
２９  ３個単位使用の組み合わせ
【図１】
2015036309.tif 000003
【図２】
2015036309.tif 000004
【図３】
2015036309.tif 000005
【図４】
2015036309.tif 000006
【図５】
2015036309.tif 000007
【図６】
2015036309.tif 000008
【図７】
2015036309.tif 000009
【図８】
2015036309.tif 000010
【図９】
2015036309.tif 000011